(57)【特許請求の範囲】
【請求項１】
天板の下面にブラケットの一端部が連結されるとともに、収納箱の上部にブラケットの他端部を引っ掛け可能に構成され、当該他端部を介して天板に収納箱が吊り下げられた状態で当該他端部の位置を固定する外れ防止固定部を有することを特徴とする収納箱の吊り下げ構造。
【請求項２】
ブラケットが、収納箱を前後または左右の重心位置で吊り下げる吊下げ部を有し、収納箱の荷重を天板によって支えた状態で、収納箱の荷重を受ける荷重受け部と荷重受け部に当接する被荷重受け部との間に外れ防止固定部が構成されることを特徴とする請求項１に記載の収納箱の吊り下げ構造。
【請求項３】
ブラケットが、収納箱を吊り下げる吊下げ部と、前記吊下げ部の下部に吊り下げられ、前記吊下げ部よりも前後または左右に拡開し、収納箱の荷重を受ける荷重受け部とを有することを特徴とする請求項１または２に記載の収納箱の吊り下げ構造。
【請求項４】
収納箱の上部に前記荷重受け部に当接する被荷重受け部を有し、前記荷重受け部を介して前記被荷重受け部が収納箱の荷重を受けている状態で、前記荷重受け部と前記被荷重受け部との間に外れ防止固定部が構成されることを特徴とする請求項３に記載の収納箱の吊り下げ構造。
【請求項５】
前記荷重受け部および前記被荷重受け部がともに面で構成されることを特徴とする請求項４に記載の収納箱の吊り下げ構造。
【請求項６】
前記荷重受け部および前記被荷重受け部をそれぞれ貫通する固定具取付孔を有し、当該固定具取付孔を介して前記荷重受け部と前記被荷重受け部とがねじ止めされて外れ防止固定部を構成することを特徴とする請求項４または５に記載の収納箱の吊り下げ構造。
【請求項７】
前記吊下げ部と前記荷重受け部とを有する逆Ｔ字状のブラケットと、収納箱に形成されるＴ字状の差し込み孔とを備え、当該差し込み孔の周辺の下向き面である被荷重受け部に前記荷重受け部を当接させた状態で、前記荷重受け部と前記被荷重受け部とがねじ止めされて外れ防止固定部が構成されることを特徴とする請求項２に記載の収納箱の吊り下げ構造。
【請求項８】
収納箱の上部よりブラケットが切り起こされるとともに、天板の下部に前記切り起こしたブラケットの端部を引っ掛け可能に構成され、当該端部を介して天板に収納箱が吊り下げられた状態で当該端部の位置を固定する外れ防止固定部を有することを特徴とする収納箱の吊り下げ構造。
【発明の詳細な説明】
【技術分野】
【０００１】
本発明は、収納箱の荷重を天板に担持させた状態で取付作業を行える収納箱の吊り下げ構造に関するものである。
【背景技術】
【０００２】
従来より、天板を昇降させて天板面の高さを自在に変更可能な家具が知られている。例えば特許文献１には、天板とそれを支持する左右の脚支柱とを備え、この脚支柱が天板下部に固定される固定脚部と、固定脚部に対して下方に伸縮するように可動する可動脚部とを有し、左右の脚支柱を同期して昇降させて天板面の高さを調整するテーブルが記載されている。
【先行技術文献】
【特許文献】
【０００３】
【特許文献１】特開２０１５−１３４１２４号公報
【発明の概要】
【発明が解決しようとする課題】
【０００４】
ところで、特許文献１に開示のテーブルでは、デスクトップパソコンなどの大型の物品を天板面に置くしかなく、天板面の執務スペースが狭くなるという問題がある。
【０００５】
この問題を解決するために、天板から収納箱を吊り下げ、この収納箱に上記物品の少なくとも一部、例えばデスクトップパソコン本体を収納し、これにより天板面の執務スペースを広げることが考えられる。しかしながら、デスクトップパソコン本体などを収納可能な収納箱となると、それなりに重量のある頑丈なものを用いる必要があるが、このような収納箱を単に天板の下面にビス等で取り付ける構成では、収納箱を抱えたまま収納箱の荷重を支えながらビス止め等の作業を行う必要があり、取り付け作業に負荷がかかる。
【０００６】
本発明は、上記のような課題を解消することを目的としており、具体的には、重量の大きい収納箱であっても天板に簡単に吊り下げ状態で固定することが可能な吊り下げ構造を提供することを目的とする。
【課題を解決するための手段】
【０００７】
本発明は、かかる目的を達成するために、次のような手段を講じたものである。
【０００８】
すなわち、本発明に係る収納箱の吊り下げ構造は、天板の下面にブラケットの一端部が連結されるとともに、収納箱の上部にブラケットの他端部を引っ掛け可能に構成され、当該他端部を介して天板に収納箱が吊り下げられた状態で当該他端部の位置を固定する外れ防止固定部を有することを特徴とする。
【０００９】
このような構成であると、収納箱の上部にブラケットの他端部を引っ掛けて天板に収納箱を吊るした状態に担持させた上で、外れ防止固定部を利用して他端部の位置を固定することで、他端部の引っ掛けが外れないようにできる。したがって、収納箱を抱えた状態で天板にビス止め等を行わずにすみ、天板の下面に収納箱の荷重を受けさせた状態で他端部の外れ止めを行えるので、重量の大きい収納箱であっても取り付け作業に係る作業負担が軽くなり、作業効率を向上させることができる。
【００１０】
この場合、吊り下げ部の数を極力減らしつつ安定した支持状態を実現するためには、ブラケットが、収納箱を前後または左右の重心位置で吊り下げる吊下げ部を有し、収納箱の荷重を天板によって支えた状態で、収納箱の荷重を受ける荷重受け部と荷重受け部に当接する被荷重受け部との間に外れ防止固定部が構成されることが好ましい。
【００１１】
特に、収納箱を安定して支持させるためには、ブラケットが、収納箱を吊り下げる吊下げ部と、前記吊下げ部の下部に吊り下げられ、前記吊下げ部よりも前後または左右に拡開し、収納箱の荷重を受ける荷重受け部とを有する構成とすることが好ましい。
【００１２】
さらに、簡単かつ適切に外れ止めを行うためには、収納箱の上部に前記荷重受け部に当接する被荷重受け部を有し、前記荷重受け部を介して前記被荷重受け部が収納箱の荷重を受けている状態で、前記荷重受け部と前記被荷重受け部との間に外れ防止固定部が構成されることが好ましい。
【００１３】
この場合に、安定、確実に収納箱の荷重を担持するためには、前記荷重受け部および前記被荷重受け部がともに面で構成されることが好ましい。
【００１４】
さらに、収納箱の吊り下げに係る取付強度を高めるためには、前記荷重受け部および前記被荷重受け部をそれぞれ貫通する固定具取付孔を有し、当該固定具取付孔を介して前記荷重受け部と前記被荷重受け部とがねじ止めされて外れ防止固定部を構成とすることが好ましい。
【００１５】
上記吊り下げ構造の具体的な構成としては、前記吊下げ部と前記荷重受け部とを有する逆Ｔ字状のブラケットと、収納箱に形成されるＴ字状の差し込み孔とを備え、当該差し込み孔の周辺の下向き面である被荷重受け部に前記荷重受け部を当接させた状態で、前記荷重受け部と前記被荷重受け部とがねじ止めされて外れ防止固定部が構成される構成とすることが好ましい。
また、本発明の他の構成に係る収納箱の吊り下げ構造は、収納箱の上部よりブラケットが切り起こされるとともに、天板の下部に前記切り起こしたブラケットの端部を引っ掛け可能に構成され、当該端部を介して天板に収納箱が吊り下げられた状態で当該端部の位置を固定する外れ防止固定部を有することを特徴とする。
【発明の効果】
【００１６】
本発明は、以上説明した構成であるから、収納箱を抱えた状態で天板にビス止め等の作業を行わずに済むので、重量の大きい収納箱であっても天板などの支持体への吊り下げ作業が楽な収納箱の取り付け構造を提供することができる。
【図面の簡単な説明】
【００１７】
【図１】本発明の一実施形態に係る昇降テーブルを示す斜視図。
【図２】同テーブルの平面図。
【図３】同テーブルから天板を取り外した状態で示す斜視図。
【図４】同テーブルの上部の側面図。
【図５】同テーブルの切欠部周辺を拡大して示す斜視図。
【図６】同テーブルに取り付けられる収納箱を示す斜視図。
【図７】同収納箱の分解斜視図。
【図８】本発明の変形例を示す斜視図。
【図９】本発明の他の変形例を示す斜視図。
【発明を実施するための形態】
【００１８】
以下、本発明の一実施形態を、図面を参照して説明する。
【００１９】
図１に示すように、本実施形態の天板付き家具としての自動昇降テーブル１は、互いに対向して配置される一対の脚支柱２，２と、一対の脚支柱２，２によって支持される略矩形状の天板３とを備える。
【００２０】
天板３は、後述する収納箱を吊り下げ支持する箇所を有し、人が着座する側である一方の縁辺３ａ側の下面に、奥方に向かって下り勾配となる傾斜が付けてあり、それによって天板３の厚みを見掛け上薄くしてスマートにするとともに、昇降操作のために取り付けられる操作部Ｃを使用者から見やすくしている。図１及び図２に示すように、天板３は、一方の縁辺３ａ側に幅方向中央部に浅く凹み３２が形成されるとともに、他方の縁辺３ｂの幅方向中央部に平面視台形の切欠部３１が形成されている。
【００２１】
図１に示す一対の脚支柱２，２が有する支柱２２は、３段テレスコープ状に部材を嵌合させたものであり、図示しないボールねじタイプの昇降駆動機構を内蔵する。支柱２２の下端に取り付けられたベース２４は、鉄板を折り曲げて形成されており、表面に塗装が施してある。支柱２２の下端は、ベース２４の鉄板にボルトや溶接で固定される。このようなベース２４および支柱２２を含む脚支柱２の形状は、側面視逆Ｔ字状に構成される。左右の支柱２２，２２の上部には、前後方向に延びて天板３の左右端部３ｃ，３ｃ（図１参照）の下面を支持する天板取り付けブラケット２１が取り付けられる。
【００２２】
図３に示すように、左右の支柱２２，２２の間には、中央ダクト５が架け渡される。中央ダクト５は、２枚の板金をそれぞれ折り曲げ加工してわずかな隙間を空けて突き合わせ、その両端部が左右のブラケット２１，２１にビスにより固定されている。このような中央ダクト５は、前後方向中央部が凹んだ逆ハット型の横断面を有するものであり、図２に示すように、底板５１に、幅方向中央部が拡開した拡開部５２ａを有するスリット５２が形成される。このスリット５２の左右方向の複数箇所には、コードを引っ掛けるために開口を広げたコード引っ掛け部５２ｂが形成される。また、このスリット５２を利用することで、天板３の下方を仕切る図示しない幕板が取り付けられてもよい。
【００２３】
中央ダクト５内であって、拡開部５２ａの近傍には、左右の脚支柱２に内蔵された昇降メカである図示しない昇降駆動機構を同期駆動させ、天板３を昇降させる駆動ユニットＹが収納され、駆動ユニットＹから左右の昇降メカまで図示しない配線を導くようにしている。なお、天板３は、例えば、図１に示すように、一般的な成人が椅子に着席姿勢で適切に利用できる高さ位置から、起立姿勢で肘をついて利用できる高さ位置の間で昇降可能に構成される。
【００２４】
操作部Ｃは、天板３の一方の縁辺３ａ側の下面３３に取り付けられる。操作部Ｃは、天板３を等ピッチで昇降させるメインスイッチの他、天板３を数ピッチ単位で昇降させるサブスイッチを有する。操作部Ｃへの配線コードは後述するコードダクトから中央ダクト５を通り、駆動ユニットＹの配線とともに床面に導かれる。
【００２５】
天板３の下面３３であって、他方の縁辺３ｂ側には、天板３の幅方向全体に亘って配線コード受け６が取り付けられる。図２〜５に示すように、配線コード受け６は、天板３の幅方向に延びる底部６１と底部６１の前後方向両端からそれぞれ立ち上がる第１，第２の上下方向面６２ａ，６２ｂとで構成される第１のコード受け部６Ａと、第１のコード受け部６Ａの後方側の上端縁に連接する天板下面添設部６３と、天板下面添設部６３の後端から立ち上がる第３の上下方向面６４とを有し、一枚の板金の塑性変形加工によって作製される。第１のコード受け部６Ａの底部６１は、幅方向中央部が図５に示すように平面視長方形に切欠かれており、この切欠き６１ａの左右に第１の上下方向面６２ａが形成される。また、底部６１において切欠き６１ａの近傍には、複数の配線コード孔６１ｂが形成される。また、第２の上下方向面６２ｂは、第１の上下方向面６２ａよりも上方に延び、底部６１から天板下面添設部６３の左右方向両端部に向けて幅方向に広がりながら延びる正面視台形状である（図３参照）。天板下面添設部６３は、天板３の幅方向略全体に亘って形成され、天板３の他方の縁辺３ｂ近傍を下方から支持した状態で天板３の下面３３にねじ止めされる。天板下面添設部６３は、幅方向中央部が、天板縁部に形成された図５に示す切欠部３１から露出し、その露出部分がコンセントタップＣ等をマグネットで着脱することが可能な第２のコード受け部６Ｂとして利用される。
【００２６】
このような天板下面添設部６３の最後縁には、図４に示すように、立ち上げ部構成材としての第３の上下方向面６４が、天板面３ｃよりも上方に突出する位置まで起立し、第３の上下方向面６４の上縁により、立ち上がり寸法ｔ１が天板３の厚みｔ２よりも小さい第１の立ち上がり部６５ａが構成される。第１の立ち上がり部６５ａは、天板３のうち人が着座しない側である他方の縁辺３ｂの全幅に亘って形成される。第１の立ち上がり部６５ａは、図１及び図５に示すように天板３の切欠部３１の左右に形成され、天板３の昇降等に伴って天板面３ｃに置かれた筆記用具などの物品が転がるなどして移動した場合に、物品をガードして床へ落下することを防止する。また、第３の上下方向面６４のうち長手方向中央付近の上縁には、左右の第１の立ち上がり部６５ａと連続し、第２のコード受け部６Ｂに載置される配線のこぼれ止めとしての役割を果たす第２の立ち上がり部６５ｂも形成される。このような配線コード受け６において、立ち上がり部構成材としての第３の上下方向面６４と天板３の縁辺３ｂとの間の隙間δ（図５参照）は、閉塞部としての天板下面添設部６３により下方に開放されることが防止される。
【００２７】
天板３には、例えばデスクトップ型パソコン本体などを収納するための図６に示すような収納箱４が前後一対の収納箱取付ブラケット４２を介して取り付けられる。
【００２８】
収納箱取付ブラケット４２は、収納箱４を吊り下げる吊下げ部４２ｂと、吊下げ部４２ｂの下部に吊り下げられて収納箱取付ブラケット４２の他端部となり、吊下げ部４２ｂよりも左右に拡開し、収納箱４の荷重を受ける荷重受け部４２ａと、吊下げ部４２ｂの上方から左右に延びて収納箱取付ブラケット４２の一端部となる天板固定部４２ｃとを有し、吊下げ部４２ｂおよび荷重受け部４２ａにより正面視逆Ｔ字状、吊下げ部４２ｂおよび天板固定部４２ｃにより正面視Ｔ字状に形成される。天板固定部４２ｃにはねじ挿通孔４２ｃ１が形成され、収納箱取付ブラケット４２は、ねじ挿通孔４２ｃ１を介して下方から図１に示す天板３の下面３３にねじ等の固定具で固定されている。荷重受け部４２ａは、平面視矩形状であり、収納箱４の上面に形成される第１の差し込み孔４４ａの後部の幅広部４４ａ１とほぼ同じ形状かつ幅広部４４ａ１よりもわずかに小さく構成され、幅広部４４ａ１に上方から差込可能である。
【００２９】
また、吊下げ部４２ｂは、天荷重受け部４２ａの幅方向中央から延びて、上下方向中央部が幅狭に構成されており、この吊下げ部４２ｂが、第１の差し込み孔４４ａの前部にあって幅広部４４ａ１の幅方向中央から連続して延びる幅狭部４４ａ２に後方から差込可能に構成される。第１の差し込み孔４４ａの前方には収納箱４の上部としての後述するブラケット固定部４７（図７参照）が位置し、幅狭部４４ａ２に差し込まれた一方の収納箱取付ブラケット４２の荷重受け部４２ａが下方よりブラケット固定部４７に当接する。また、収納箱４の上面かつ後端部には、幅狭部４４ａ２と同幅でかつ後方に開放された第２の差し込み孔４４ｂが形成され、このような第２の差し込み孔４４ｂの前方にも後述するブラケット固定部４７が配置される。他方の収納箱取付ブラケット４２は、吊下げ部４２ｂを第２の差し込み孔４４ｂに差し込むことで、荷重受け部４２ａがブラケット固定部４７に下方から当接する。
【００３０】
図７に示すように、収納箱４は、逆Ｌ型の２枚の側板４５，４５を上連結部４Ａと下連結部４Ｂとを介在させて溶接により接合して図６に示す収納箱４の筐体を構成している。側板４５，４５の上面には、前後方向の略中央と後端部にそれぞれ切欠き４５ａ，４５ｂが形成され、２枚の側板４５，４５が突き合わされることで図６に示すＴ型の第１の差し込み孔４４ａと、略矩形状の第２の差し込み孔４４ｂとを形成する。
【００３１】
ここで、一枚の板金の折り曲げ加工によって収納箱の筐体全体を構成することも考えられるが、その場合、底板と側板のコーナーにＲが形成されて実質的な収納幅が狭まることになる。これに対して、逆Ｌ型の２枚の側板４５，４５を上連結部４Ａと下連結部４Ｂとで繋いて構成される収納箱４であれば、コーナーが直角になるので収納幅Ｗが狭まらず、収容空間Ｓを広くできる。また、左右の側板４５，４５同士の間隔をあけることで、幅違いの収納箱４を簡単に構成することができる。
【００３２】
図７に示すように、上連結部４Ａは、左右一対の側板部４６，４６と、側板部４６，４６の上部同士を連結する位置にあって収納箱取付ブラケット４２の固定先となる、前後一対の上向きチャネル状をなすブラケット固定部４７とを有する。
【００３３】
側板部４６，４６の内側には引き出し４１を引き出すためのサスペンションレール４６ａが形成されており、引き出し４１はその側面に形成されたレール受け４１ａを介して側板部４６，４６間に引き出し可能に挿入される。
【００３４】
下連結部４Ｂは、矩形板状の被載置部４８と、被載置部４８の前端から下方に湾曲した垂下部４８ａと、被載置部４８の後端から立ち上がる起立部４８ｂとを有し、被載置部４８と引出支持板４９との間に形成される収容空間Ｓに、デスクトップ型パソコン本体などを配置することができる。また、収納箱取付ブラケット４２，４２の天板固定部４２ｃ，４２ｃ間に亘って（収納箱取付ブラケット４２，４２の左右の腕の間を通って）前後に延びるコードダクト４３が架け渡されており、操作部Ｃ（図１参照）への図示しない配線コードは、このコードダクト４３内に収容される。
【００３５】
各収納箱取付ブラケット４２の荷重受け部４２ａおよびブラケット固定部４７には、互いに対応する位置に固定具取付孔としてのねじ挿通孔４２ａ１またはねじ孔４７ａが形成されており、引き出し４１を引き抜いた状態で、ブラケット固定部４７の下方から、ねじ挿通孔４２ａ１およびねじ孔４７ａを介してねじなどの固定具で収納箱４を収納箱取付ブラケット４２に固定可能に構成される。また、収納箱取付ブラケット４２，４２が収納箱４の差し込み孔４４ａ，４４ｂから差し込まれて、ともに面で構成される荷重受け部４２ａとブラケット固定部４７とが互いに当接した状態は、天板３に２つの収納箱取付ブラケット４２を介して収納箱４が吊り下げ担持された状態にあり、ブラケット固定部４７は収納箱４の荷重を受ける被荷重受け部となる。また、ねじ挿通孔４２ａ１およびねじ孔４７ａは、収納箱取付ブラケット４２を介して天板３に収納箱４が吊り下げられた状態で荷重受け部４２ａの位置を固定する外れ防止固定部として機能する。
【００３６】
このような収納箱４は、引き出し４１が引き出されている状態で、収納箱取付ブラケット４２が収納箱４の差し込み孔４４ａ，４４ｂに差し込まれてブラケット固定部４７の下面に当接し、その荷重が一旦ブラケット固定部４７に支持された状態で下方からねじ止めされることで、吊り下げ構造Ｘが構成され、収納箱４は天板３に吊り下げられた状態で固定される。その後、引き出し４１はサスペンションレール４６ａ，４６ａ間に挿入される。
【００３７】
この状態において、天板３と収納箱４の間には隙間が形成され、意匠上美しく見せる効果を得ることに加えて、操作部Ｃを配置するスペースの確保を図っている。
【００３８】
以上のように、本実施形態に係る収納箱４の吊り下げ構造Ｘは、天板３の下部としての下面３３に収納箱取付ブラケット４２の一端部としての天板固定部４２ｃが連結されるとともに、収納箱４の上部としてのブラケット固定部４７に収納箱取付ブラケット４２の他端部としての荷重受け部４２ａを引っ掛け可能に構成され、荷重受け部４２ａを介して天板３に収納箱４が吊り下げられた状態で荷重受け部４２ａの位置を固定する外れ防止固定部としてのねじ挿通孔４２ａ１およびねじ孔４７ａを有する。
【００３９】
このような構成であると、天板３の下部および収納箱４の上部の何れか他方に他端部を引っ掛けて天板３に収納箱４を吊るした状態に担持させた上で、ねじ挿通孔４２ａ１およびねじ孔４７ａを利用して荷重受け部４２ａの位置を固定することで、荷重受け部４２ａの引っ掛けが外れないようにすることができる。したがって、収納箱４を抱えた状態で天板３にビス止め等を行わずにすみ、天板３に収納箱４の荷重を受けさせた状態で荷重受け部４２ａが吊り下げ状態から外れることを防止できるので、重量の大きい収納箱４であっても取り付け作業に係る作業負担が軽くなり、作業性を向上させることができる。
【００４０】
また本実施形態の吊り下げ構造Ｘは、収納箱取付ブラケット４２が、収納箱４を左右の重心位置で吊り下げる吊下げ部４２ｂを有し、収納箱４の荷重を支持体としての天板３によって支えた状態で、収納箱４の荷重を受ける荷重受け部４２ａと被荷重受け部としてのブラケット固定部４７との間に外れ防止固定部が構成されことを特徴とする。
【００４１】
このような構成であると、収納箱４の荷重を天板３によって吊り下げ担持させ、支えた状態で、荷重受け部４２ａとブラケット固定部４７との間で外れ止めすることで、収納箱４を抱えた状態で天板３にビス止め等を行わずに済み、重量の大きい収納箱４であっても取り付け作業に係る作業負担が軽くて済み、作業効率が向上するとともに、吊り下げ部４２ｂが左右方向の１箇所に設けられればよく、構造が簡単である。
【００４２】
さらに、収納箱取付ブラケット４２が、収納箱４を吊り下げる吊下げ部４２ｂと、吊下げ部４２ｂの下部に吊り下げられ、吊下げ部４２ｂよりも左右に拡開し、収納箱４の荷重を受ける荷重受け部４２ａとを有することから、収納箱４の支持面積を広げて、安定した状態で適切に支持させることができる。
【００４３】
また、収納箱４の上部に荷重受け部４２ａに当接するブラケット固定部４７を有し、荷重受け部４２ａを介してブラケット固定部４７が収納箱４の荷重を受けている状態で、荷重受け部４２ａとブラケット固定部４７との間に外れ防止固定部が構成されるので、簡単かつ適切に外れ止めを行うことができる。
【００４４】
特に、荷重受け部４２ａおよびブラケット固定部４７がともに面であるので、面同士で安定、確実に収納箱４の荷重を担持でき、面同士を固定することができる。
【００４５】
また、荷重受け部４２ａおよびブラケット固定部４７をそれぞれ貫通する固定具取付孔としてのねじ挿通孔４２ａ１およびねじ孔４７ａを有し、ねじ挿通孔４２ａ１およびねじ孔４７ａを介して荷重受け部４２ａとブラケット固定部４７とがねじ止めされて外れ防止固定部を構成していることから、単なる外れ止めだけでなく、収納箱４の吊り下げに係る部材同士を締結することによって取付強度を高めることができる。
【００４６】
具体的に、吊下げ部４２ｂと荷重受け部４２ａとを有する逆Ｔ字状の収納箱取付ブラケット４２と、収納箱４に形成されるＴ字状の差し込み孔４４ａ，４４ｂとを備え、当該差し込み孔４４ａ，４４ｂの周辺の下向き面であるブラケット固定部４７に荷重受け部４２ａを当接させた状態で、荷重受け部４２ａとブラケット固定部４７とがねじ止めされて外れ防止固定部が構成されることから、実用的な吊り下げ構造を適切に実現することができる。
【００４７】
以上、本発明の一実施形態について説明したが、各部の具体的な構成は、上述した実施形態のみに限定されるものではなく、本発明の趣旨を逸脱しない範囲で種々変形が可能である。なお、以下の変形例では、実施形態と同様の構成については同じ符号を付して説明を省略する。
【００４８】
例えば、本実施形態では、収納箱取付ブラケット４２は逆Ｔ字を含んだ形状であるが、図８に示すように、ねじ挿通孔４２ａ１が形成された水平な荷重受け部４８ａと、荷重受け部４８ａの後端から直角に起立する吊下げ部４８ｂと、吊下げ部４８ｂの上端から水平に延び、ねじ挿通孔４８ｃ１を介して天板３の下面３３にねじ止めされる天板固定部４８ｃとを有するクランク型の収納箱取付ブラケット４８が用いられてもよい。この場合、収納箱４の上面に形成される第１の差し込み孔４４ａ１は、荷重受け部４８ａと同じ矩形状で荷重受け部４８ａが差し込み可能な大きさに形成されることが好ましい。
【００４９】
また、本実施形態のように収納箱取付ブラケット４２が別部材として構成されず、図９に示すように、収納箱４の上面の一部が切りかかれた切り起こし部４９を利用して、天板３から吊り下げられる構成であってもよい。この切り起こし部４９は、先端部４９ａが水平に折り曲げられ、この先端部４９ａが天板３の下面３３に開口する差し込み孔３４から差し込まれて、天板３の下面３３に形成されたねじ挿通孔３４ａおよび先端部４９ａに形成されたねじ孔４９ａ１を介して下方からねじ止めされる。この構成では、ねじ挿通孔３４ａ近傍の天板３の下面３３を構成する面材の上向き面が荷重受け部となり、切り起こし部４９の先端部４９ａの下面が被荷重受け部となる。
【００５０】
さらに、上記実施形態においては、収納箱４は天板付き家具としてのテーブル１に適用された例を示しているが、他の天板付き家具に適用されてもよい。
【００５１】
その他の構成も、本発明の趣旨を逸脱しない範囲で種々変形が可能である。
【符号の説明】
【００５２】
３・・・天板（支持体）
４・・・収納箱
３３・・・下面（天板の下部、荷重受け部）
４２・・・収納箱取付ブラケット（ブラケット）
４２ａ，４８ａ・・・荷重受け部（ブラケットの他端部）
４２ａ１・・・ねじ挿通孔（外れ防止固定部、固定具取付孔）
４２ｂ，４８ｂ・・・吊下げ部
４２ｃ・・・天板固定部（ブラケットの一端部）
４４ａ，４４ｂ・・・差し込み孔
４７・・・ブラケット固定部（収納箱の上部、被荷重受け部）
４７ａ・・・ねじ孔（外れ防止固定部、固定具取付孔）
４９ａ・・・切り起こし部の先端部（被荷重受け部）
Ｘ・・・収納箱の吊り下げ構造
【図１】
0006692143.tif 000002
【図２】
0006692143.tif 000003
【図３】
0006692143.tif 000004
【図４】
0006692143.tif 000005
【図５】
0006692143.tif 000006
【図６】
0006692143.tif 000007
【図７】
0006692143.tif 000008
【図８】
0006692143.tif 000009
【図９】
0006692143.tif 000010